(57)【要約】【課題】再生機器の使用時にテレビジョン受像機の入力切換を自動で行えるようにすると共に、テレビジョン受像機の入力を再生機器側に切り換えたときに再生機器の電源を自動でオンさせるようにする映像音声出力システムを提供する。【解決手段】テレビジョン受像機の電源およびＤＶＤレコーダの電源がオフ状態である場合においてＤＶＤレコーダの電源がオンされたときに、テレビジョン受像機の電源がオンされると、テレビジョン受像機の入力がＤＶＤレコーダ側に切り換えられる処理、および切り換えられる処理に関連する処理が実行される。また、テレビジョン受像機の電源がオン状態であり、ＤＶＤレコーダの電源がオフ状態である場合においてテレビジョン受像機の入力がＤＶＤレコーダ側に切り換えられると、ＤＶＤレコーダの電源をオンさせる処理、およびテレビジョン受像機に対する初期設定に関連する処理が実行される。【選択図】図１
2008053814.tif 000002
【特許請求の範囲】
【請求項１】
再生機器とテレビジョン受像機とがビデオケーブルおよびオーディオケーブルにより接続されて構成される映像音声出力システムにおいて、
前記再生機器に、第１チャンネルのオーディオケーブルが接続される第１オーディオ出力端子に対して第１チャンネルのオーディオ信号を流すか再生機器側マイクロコンピュータからの入力切換信号や初期設定情報信号を流すかの切り換えを行うスイッチ手段と、第２チャンネルのオーディオケーブルが接続される第２オーディオ出力端子からの入力切換信号を波形整形して再生機器側マイクロコンピュータに入力する再生機器側波形整形手段とを設け、
前記テレビジョン受像機に、前記スイッチ手段が再生機器側マイクロコンピュータからの入力切換信号や初期設定情報信号を選択しているときに第１チャンネルのオーディオケーブルが接続されている第１オーディオ入力端子からの前記入力切換信号や前記初期設定情報信号を抽出するフィルタ手段と、このフィルタ手段からの前記入力切換信号や前記初期設定情報信号を波形整形してテレビ側マイクロコンピュータに入力するテレビ側波形整形手段とを設け、
テレビジョン受像機の電源がオフ状態またはオン状態および再生機器の電源がオフ状態である場合において再生機器の電源がオンされたときの処理を実行させる手段としては、
再生機器の電源がオンされたときに前記スイッチ手段を再生機器側マイクロコンピュータからの入力切換信号や初期設定情報信号を入力する側に設定する再生機器側マイクロコンピュータのスイッチ制御手段と、
テレビジョン受像機の入力切換を行うための入力切換信号を出力する再生機器側マイクロコンピュータの入力切換信号出力手段と、
前記入力切換信号がテレビジョン受像機に入力されて再生機器側の電源オンを検知するテレビ側マイクロコンピュータの再生機器電源オン検知手段と、
前記再生機器側の電源オンが検知されたときにテレビ側の電源がオフであれば電源をオンさせ、テレビジョン受像機の入力切換を再生機器側入力に切り換えるテレビ側マイクロコンピュータの入力切換手段と、
前記テレビジョン受像機の入力切換を再生機器側入力に切り換えられた後、テレビジョン受像機が再生機器側入力に切り換えられたことを示す入力切換信号を出力するテレビ側マイクロコンピュータの入力切換信号出力手段と、
前記入力切換信号が再生機器に入力されテレビジョン受像機の入力切換を検知する再生機器側マイクロコンピュータの入力切換検知手段と、
前記テレビジョン受像機の入力切換が検知された後、前記スイッチ手段を前記第１チャンネルのオーディオ信号のライン側に設定する前記スイッチ制御手段とを有し、
テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段としては、
テレビジョン受像機の入力が再生機器側に切り換えられたときに、入力切換信号を出力するテレビ側マイクロコンピュータの入力切換信号出力手段と、
前記入力切換信号が再生機器に入力されてテレビジョン受像機の入力が再生機器側の入力に切り換ったことを検知する再生機器側マイクロコンピュータの入力切換検知手段と、
前記テレビジョン受像機の入力が再生機器側の入力に切り換ったことを検知されたときに再生機器の電源をオンさせる再生機器側マイクロコンピュータの再生機器電源オン手段と、
再生機器の電源がオンされた後、初期設定情報信号を出力する再生機器側マイクロコンピュータの初期設定情報信号出力手段と、
前記初期設定情報信号を受け取ることにより再生機器の電源オンを検知するテレビ側再生機器電源オン検知手段と、
前記再生機器の電源オンが検知された後、再生機器への入力切換信号を停止させるテレビ側マイクロコンピュータの入力切換信号停止手段とを有することを特徴とする映像音声出力システム。
【請求項２】
再生機器とテレビジョン受像機とがビデオケーブルおよびオーディオケーブルにより接続されて構成される映像音声出力システムにおいて、
前記再生機器に、第１チャンネルのオーディオケーブルが接続される第１オーディオ出力端子に対して第１チャンネルのオーディオ信号を流すか再生機器側マイクロコンピュータからの入力切換信号や初期設定情報信号を流すかの切り換えを行うスイッチ手段と、第２チャンネルのオーディオケーブルが接続される第２オーディオ出力端子からの入力切換信号を波形整形して再生機器側マイクロコンピュータに入力する再生機器側波形整形手段とを設け、
前記テレビジョン受像機に、前記スイッチ手段が再生機器側マイクロコンピュータからの入力切換信号や初期設定情報信号を選択しているときに第１チャンネルのオーディオケーブルが接続されている第１オーディオ入力端子からの前記入力切換信号や前記初期設定情報信号を抽出するフィルタ手段と、このフィルタ手段からの前記入力切換信号や前記初期設定情報信号を波形整形してテレビ側マイクロコンピュータに入力するテレビ側波形整形手段とを設け、
テレビジョン受像機の電源がオフ状態またはオン状態および再生機器の電源がオフ状態である場合において再生機器の電源がオンされたときに、テレビジョン受像機の電源がオフであれば電源をオンさせ、テレビジョン受像機の入力を再生機器側に切り換える処理、および前記切り換える処理に関連する処理を実行させる手段を備えると共に、
テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段を備えることを特徴とする映像音声出力システム。
【請求項３】
テレビジョン受像機の電源がオフ状態またはオン状態および再生機器の電源がオフ状態である場合において再生機器の電源がオンされたときに、テレビジョン受像機の電源がオフであれば電源をオンさせ、テレビジョン受像機の入力を再生機器側に切り換える処理、および前記切り換える処理に関連する処理を実行させる手段としては、
再生機器の電源がオンされたときに前記スイッチ手段を再生機器側マイクロコンピュータからの入力切換信号や初期設定情報信号を入力する側に設定する再生機器側マイクロコンピュータのスイッチ制御手段と、
テレビジョン受像機の入力切換を行うための入力切換信号を出力する再生機器側マイクロコンピュータの入力切換信号出力手段と、
前記入力切換信号がテレビジョン受像機に入力されて再生機器側の電源オンを検知するテレビ側マイクロコンピュータの再生機器電源オン検知手段と、
前記再生機器側の電源オンが検知されたときにテレビ側の電源がオフであれば電源をオンさせ、テレビジョン受像機の入力切換を再生機器側入力に切り換えるテレビ側マイクロコンピュータの入力切換手段と、
前記テレビジョン受像機の入力切換を再生機器側入力に切り換えられた後、テレビジョン受像機が再生機器側入力に切り換えられたことを示す入力切換信号を出力するテレビ側マイクロコンピュータの入力切換信号出力手段と、
前記入力切換信号が再生機器に入力されテレビジョン受像機の入力切換を検知する再生機器側マイクロコンピュータの入力切換検知手段と、
前記テレビジョン受像機の入力切換が検知された後、前記スイッチ手段を前記第１チャンネルのオーディオ信号のライン側に設定する前記スイッチ制御手段とを有することを特徴とする請求項２に記載の映像音声出力システム。
【請求項４】
テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段としては、
テレビジョン受像機の入力が再生機器側に切り換えられたときに、入力切換信号を出力するテレビ側マイクロコンピュータの入力切換信号出力手段と、
前記入力切換信号が再生機器に入力されてテレビジョン受像機の入力が再生機器側の入力に切り換ったことを検知する再生機器側マイクロコンピュータの入力切換検知手段と、
前記テレビジョン受像機の入力が再生機器側の入力に切り換ったことを検知されたときに再生機器の電源をオンさせる再生機器側マイクロコンピュータの再生機器電源オン手段と、
再生機器の電源がオンされた後、初期設定情報信号を出力する再生機器側マイクロコンピュータの初期設定情報信号出力手段と、
前記初期設定情報信号を受け取ることにより再生機器の電源オンを検知するテレビ側再生機器電源オン検知手段と、
前記再生機器の電源オンが検知された後、再生機器への入力切換信号を停止させるテレビ側マイクロコンピュータの入力切換信号停止手段とを有することを特徴とする請求項２に記載の映像音声出力システム。
【発明の詳細な説明】
【技術分野】
【０００１】
本発明は、ＤＶＤレコーダやＤＶＤプレイヤあるいはハードディスクレコーダなどの再生機器と、テレビジョン受像機とが、ビデオケーブルおよびオーディオケーブルにより接続されて構成される映像音声出力システムに関する。
【背景技術】
【０００２】
テレビジョン受像機では、外部からのビデオ信号を入力するためのビデオ入力端子と、外部からのオーディオ信号を入力するためのオーディオ入力端子とが備えられ、ビデオ入力端子には、ビデオケーブルを介して再生機器のビデオ出力端子が接続され、オーディオ入力端子には、オーディオケーブルを介して再生機器のオーディオ出力端子が接続され、入力を再生機器側（外部機器側）に設定した場合、再生機器からのビデオ信号によりテレビジョン受像機のディスプレイ装置に再生映像を表示でき、再生機器からのオーディオ信号によりテレビジョン受像機のスピーカから再生音声を出力できるように構成されている。
【０００３】
ところで、このように再生機器とテレビジョン受像機とを接続して構成した従来の映像音声出力システムでは、例えば、テレビジョン受像機の電源および再生機器の電源がオフ状態において、再生機器で再生された映像音声信号をテレビジョン受像機に入力して、テレビジョン受像機で映像を表示させると共に音声を出力させたい場合、ユーザは、テレビ用リモコンの電源キーを操作して、先ずテレビジョン受像機の電源をオンさせ、次に、テレビ用リモコンの入力切換キーを操作して、テレビジョン受像機の入力をビデオ入力に切り換え、この後、再生機器用リモコンの電源キーを操作して、再生機器の電源をオンさせ、更に、再生機器用リモコンの再生キーを操作して、再生機器で再生された映像音声信号をテレビジョン受像機に出力するようにしている。なお、テレビジョン受像機と再生機器との両方の基本操作を行うことができるリモコンを用いても、前記のような操作を行うことができる。
【特許文献１】特開２００５−３０３３８２号公報
【特許文献２】特開平９−１３５４０６号公報
【特許文献３】特開昭６３−２７１７５号公報
【発明の開示】
【発明が解決しようとする課題】
【０００４】
しかしながら、このように再生機器とテレビジョン受像機とを接続して構成した従来の映像音声出力システムでは、テレビジョン受像機と再生機器とを個別にそれぞれ操作しなければならないので、ユーザにとっては操作が面倒であるという課題が生じる。
【０００５】
そこで、例えば、テレビジョン受像機の電源および再生機器の電源がオフ状態である場合において、再生機器の電源がユーザのリモコン操作によりオンされたとき、自動的にテレビジョン受像機の電源をオンさせるような制御を行う機能をテレビジョン受像機および再生機器に持たせれば、再生機器の電源がオンされたときに、テレビジョン受像機の電源が自動的にオンすることも可能になるが、この場合、再生機器とテレビジョン受像機とを接続する専用の制御ケーブルが必要となり、また、その専用の制御ケーブルを接続するためのケーブル端子も、再生機器とテレビジョン受像機とにそれぞれ必要となるので、専用の制御ケーブルやケーブル端子などが追加され、その分、コストアップに繋がるという課題が生じる。
【０００６】
なお、特許文献１の従来技術は、電源および外部テレビアンテナを接続する壁面設置型の浴室用テレビ受像装置に関するものであり、外部機器から浴室用テレビ受像装置の入力信号検出回路により、映像信号が入力されたことが検出されたとき、または／および音声信号が入力されたことが検出されたときに、そのテレビ受像装置の入力を外部機器側に切り換えるように構成されているが、映像信号はノイズに影響し易いため、ケーブルにノイズが乗って映像信号が乱れると、入力信号検出回路が映像信号検出時に誤動作を起こす可能性があり、また、ケーブルに映像信号が伝送されていない時に、ケーブルにノイズが乗った場合にも、入力信号検出回路が誤動作を起こす可能性もあるので、映像信号の検出精度が劣れば、入力切換動作の精度も劣るという欠点がある。
【０００７】
また、前記入力信号検出回路が、映像信号に代わり音声信号を検出する場合、無音状態の信号と、限りなく静かな音の音声信号との区別が難しく、音声信号の検出精度が劣り、これにより、入力切換動作の精度も劣るという欠点がある。また、入力切換が完了したかどうかの応答を検出することができないので、入力切換の信頼性が劣るという欠点もある。
【０００８】
特許文献２の従来技術では、外部映像信号入力端子に映像信号が入力されると、電源がオンする映像表示装置が開示されており、また、電源が既にオン状態にあるときは、外部映像信号入力端子に映像信号が入力されると、当該外部映像入力端子に入力切換を行うことも開示されているが、前述したように映像信号はノイズに弱いので、入力切換の精度が劣るという欠点がある。また、入力切換が完了したかどうかの応答を検出することができないので、入力切換の信頼性が劣るという欠点がある。
【０００９】
特許文献３の従来技術では、再生時にビデオ信号ケーブルを通じて直流電流をテレビジョン受像機に送信するＶＴＲと、当該直流電流により入力切換を行う前記テレビジョン受像機とが開示されているが、この従来技術も、前述したように映像信号はノイズに弱いので、入力切換の精度が劣るという欠点がある。また、入力切換が完了したかどうかの応答を検出することができないので、入力切換の信頼性が劣るという欠点もある。
【００１０】
本発明は、上記のような課題を解決するためになされたもので、再生機器の使用時にテレビジョン受像機の入力切換を自動で行えるようにすると共に、テレビジョン受像機の入力を再生機器側に切り換えたときに再生機器の電源を自動でオンさせることができるようにした映像音声出力システムを提供することを目的とする。
【課題を解決するための手段】
【００１１】
上記目的を達成するために、請求項１の発明は、再生機器とテレビジョン受像機とがビデオケーブルおよびオーディオケーブルにより接続されて構成される映像音声出力システムにおいて、前記再生機器に、第１チャンネルのオーディオケーブルが接続される第１オーディオ出力端子に対して第１チャンネルのオーディオ信号を流すか再生機器側マイクロコンピュータからの入力切換信号や初期設定情報信号を流すかの切り換えを行うスイッチ手段と、第２チャンネルのオーディオケーブルが接続される第２オーディオ出力端子からの入力切換信号を波形整形して再生機器側マイクロコンピュータに入力する再生機器側波形整形手段とを設け、前記テレビジョン受像機に、前記スイッチ手段が再生機器側マイクロコンピュータからの入力切換信号や初期設定情報信号を選択しているときに第１チャンネルのオーディオケーブルが接続されている第１オーディオ入力端子からの前記入力切換信号や前記初期設定情報信号を抽出するフィルタ手段と、このフィルタ手段からの前記入力切換信号や前記初期設定情報信号を波形整形してテレビ側マイクロコンピュータに入力するテレビ側波形整形手段とを設け、テレビジョン受像機の電源がオフ状態またはオン状態および再生機器の電源がオフ状態である場合において再生機器の電源がオンされたときの処理を実行させる手段としては、再生機器の電源がオンされたときに前記スイッチ手段を再生機器側マイクロコンピュータからの入力切換信号や初期設定情報信号を入力する側に設定する再生機器側マイクロコンピュータのスイッチ制御手段と、テレビジョン受像機の入力切換を行うための入力切換信号を出力する再生機器側マイクロコンピュータの入力切換信号出力手段と、前記入力切換信号がテレビジョン受像機に入力されて再生機器側の電源オンを検知するテレビ側マイクロコンピュータの再生機器電源オン検知手段と、前記再生機器側の電源オンが検知されたときにテレビ側の電源がオフであれば電源をオンさせ、テレビジョン受像機の入力切換を再生機器側入力に切り換えるテレビ側マイクロコンピュータの入力切換手段と、前記テレビジョン受像機の入力切換を再生機器側入力に切り換えられた後、テレビジョン受像機が再生機器側入力に切り換えられたことを示す入力切換信号を出力するテレビ側マイクロコンピュータの入力切換信号出力手段と、  前記入力切換信号が再生機器に入力されテレビジョン受像機の入力切換を検知する再生機器側マイクロコンピュータの入力切換検知手段と、前記テレビジョン受像機の入力切換が検知された後、前記スイッチ手段を前記第１チャンネルのオーディオ信号のライン側に設定する前記スイッチ制御手段とを有し、テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段としては、テレビジョン受像機の入力が再生機器側に切り換えられたときに、入力切換信号を出力するテレビ側マイクロコンピュータの入力切換信号出力手段と、前記入力切換信号が再生機器に入力されてテレビジョン受像機の入力が再生機器���の入力に切り換ったことを検知する再生機器側マイクロコンピュータの入力切換検知手段と、前記テレビジョン受像機の入力が再生機器側の入力に切り換ったことを検知されたときに再生機器の電源をオンさせる再生機器側マイクロコンピュータの再生機器電源オン手段と、再生機器の電源がオンされた後、初期設定情報信号を出力する再生機器側マイクロコンピュータの初期設定情報信号出力手段と、前記初期設定情報信号を受け取ることにより再生機器の電源オンを検知するテレビ側再生機器電源オン検知手段と、前記再生機器の電源オンが検知された後、再生機器への入力切換信号を停止させるテレビ側マイクロコンピュータの入力切換信号停止手段とを有することを特徴とする映像音声出力システムを提供する。
【００１２】
この構成において、テレビジョン受像機の電源がオフ状態またはオン状態および再生機器の電源がオフ状態である場合において、再生機器の電源がオンされたときの処理は、次のように行われる。
【００１３】
先ず、再生機器の電源がオンされたとき、スイッチ制御手段は、入力切換信号や初期設定情報信号を入力する側に設定する。この後、入力切換信号出力手段は、テレビジョン受像機の入力切換を行うための入力切換信号を出力する。その入力切換信号は、テレビ側マイクロコンピュータに入力される。これにより、再生機器電源オン検知手段は、再生機器側電源のオンを検知したとき、入力切換手段は、テレビ側電源がオフであれば電源をオンさせ、入力切換を再生機器側入力に切り換え、テレビ側マイクロコンピュータの入力切換信号出力手段は、テレビジョン受像機が再生機器側入力に切り換えられたことを示す入力切換信号を出力する。その入力切換信号は、再生機器側マイクロコンピュータに入力される。これにより、入力切換検知手段は、入力された入力切換信号によりテレビジョン受像機の入力切換を検知すると、スイッチ制御手段は、スイッチ手段をオーディオ信号のライン側に設定する。
【００１４】
以上の処理により、テレビジョン受像機の電源がオフ状態またはオン状態および再生機器の電源がオフ状態である場合において、再生機器の電源がオンされたとき、テレビジョン受像機の電源がオフであれば電源がオンされて、テレビジョン受像機の入力が再生機器側切り換えられる。したがって、再生機器に記録された映像音声情報を再生してテレビジョン受像機で視聴したい場合、再生機器の電源をオンするだけで、テレビジョン受像機の電源がオフであれば電源がオンされて（電源が既にオンされている場合は現状態のまま）、テレビジョン受像機の入力が再生機器側に自動的に切り換えられ、ユーザにとっては使い勝手が向上する。
【００１５】
また、テレビジョン受像機の電源がオン状態であり、再生機器の電源がオフ状態である場合において、テレビジョン受像機の入力が再生機器側に切り換えられた場合の処理は、次のように行われる。
【００１６】
テレビジョン受像機の電源がオン状態であって、再生機器の電源がオフ状態において、テレビジョン受像機の入力が再生機器側に切り換えられたときに、テレビ側マイクロコンピュータの入力切換信号出力手段は、入力切換信号を出力する。その入力切換信号は、再生機器側マイクロコンピュータに入力される。そして、再生機器側マイクロコンピュータの入力切換検知手段は、テレビジョン受像機から前記入力切換信号を受け取ることにより、テレビジョン受像機の入力が再生機器側の入力に切り換ったことを検知する。
【００１７】
テレビジョン受像機の入力が再生機器側の入力に切り換ったことを検知されたときに、再生機器電源オン手段は、再生機器の電源をオンさせる。このようにして、再生機器の電源がオンされた後、初期設定情報信号出力手段は、初期設定情報信号を出力する。その初期設定情報信号は、テレビ側マイクロコンピュータに入力される。そして、テレビ側再生機器電源オン検知手段は、前記初期設定情報信号を受け取ることにより、再生機器側の電源オンを検知すると、入力切換信号停止手段は、その入力切換信号の出力を停止させる。
【００１８】
以上のような処理により、テレビジョン受像機の電源がオン状態であり、再生機器の電源がオフ状態である場合において、テレビジョン受像機の入力が再生機器側に切り換えられたとき、再生機器の電源がオンされる。したがって、再生機器に記録された映像音声情報を再生してテレビジョン受像機で視聴したい場合、再生機器側に入力を切り換えるだけで、再生機器の電源が自動的にオンされ、ユーザにとっては使い勝手が向上する。また、初期設定情報信号の再生機器からテレビジョン受像機への入力により、テレビジョン受像機のＯＳＤ言語と再生機器のＯＳＤ言語を自動で合わせることができ、また、テレビ画面のアスペクト比情報のやり取りなど、色々の情報交換も可能になる。
【００１９】
請求項２の発明は、再生機器とテレビジョン受像機とがビデオケーブルおよびオーディオケーブルにより接続されて構成される映像音声出力システムにおいて、前記再生機器に、第１チャンネルのオーディオケーブルが接続される第１オーディオ出力端子に対して第１チャンネルのオーディオ信号を流すか再生機器側マイクロコンピュータからの入力切換信号や初期設定情報信号を流すかの切り換えを行うスイッチ手段と、第２チャンネルのオーディオケーブルが接続される第２オーディオ出力端子からの入力切換信号を波形整形して再生機器側マイクロコンピュータに入力する再生機器側波形整形手段とを設け、前記テレビジョン受像機に、前記スイッチ手段が再生機器側マイクロコンピュータからの入力切換信号や初期設定情報信号を選択しているときに第１チャンネルのオーディオケーブルが接続されている第１オーディオ入力端子からの前記入力切換信号や前記初期設定情報信号を抽出するフィルタ手段と、このフィルタ手段からの前記入力切換信号や前記初期設定情報信号を波形整形してテレビ側マイクロコンピュータに入力するテレビ側波形整形手段とを設け、テレビジョン受像機の電源がオフ状態またはオン状態および再生機器の電源がオフ状態である場合において再生機器の電源がオンされたときに、テレビジョン受像機の電源がオフであれば電源をオンさせ、テレビジョン受像機の入力を再生機器側に切り換える処理、および前記切り換える処理に関連する処理を実行させる手段を備えると共に、テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段を備えることを特徴とする映像音声出力システムを提供する。
【００２０】
この構成においては、テレビジョン受像機の電源がオフ状態またはオン状態および再生機器の電源がオフ状態である場合において再生機器の電源がオンされたときに、テレビジョン受像機の電源がオフであればオンされると（電源が既にオンされている場合は現状態のまま）、テレビジョン受像機の入力が再生機器側に切り換えられる処理、および前記切り換えられる処理に関連する処理が実行される。また、テレビジョン受像機の電源がオン状態であり、再生機器の電源がオフ状態である場合において、テレビジョン受像機の入力が再生機器側に切り換えられると、再生機器の電源をオンさせる処理、およびテレビジョン受像機に対する初期設定に関連する処理が実行される。
【００２１】
以上のような処理により、テレビジョン受像機の電源がオフ状態またはオン状態および再生機器の電源がオフ状態である場合において、再生機器の電源がオンされたとき、テレビジョン受像機の電源がオフであれば電源がオンされて、テレビジョン受像機の入力が再生機器側切り換えられる。したがって、再生機器に記録された映像音声情報を再生してテレビジョン受像機で視聴したい場合、再生機器の電源をオンするだけで、テレビジョン受像機の電源がオフであれば電源がオンされて（電源が既にオンされている場合は現状態のまま）、テレビジョン受像機の入力が再生機器側に自動的に切り換えられ、ユーザにとっては使い勝手が向上する。
【００２２】
また、テレビジョン受像機の電源がオン状態であり、再生機器の電源がオフ状態である場合において、テレビジョン受像機の入力が再生装置側に切り換えられたとき、再生装置の電源がオンされる。したがって、再生装置に記録された映像音声情報を再生してテレビジョン受像機で視聴したい場合、再生装置側に入力を切り換えるだけで、再生装置の電源が自動的にオンされ、ユーザにとっては使い勝手が向上する。また、初期設定情報信号の再生機器からテレビジョン受像機への入力により、テレビジョン受像機のＯＳＤ言語と再生機器のＯＳＤ言語を自動で合わせることができ、また、テレビ画面のアスペクト比情報のやり取りなど、色々の情報交換も可能になる。
【００２３】
請求項３の発明では、請求項２の発明において、テレビジョン受像機の電源がオフ状態またはオン状態および再生機器の電源がオフ状態である場合において再生機器の電源がオンされたときに、テレビジョン受像機の電源がオフであれば電源をオンさせ、テレビジョン受像機の入力を再生機器側に切り換える処理、および前記切り換える処理に関連する処理を実行させる手段としては、再生機器の電源がオンされたときに前記スイッチ手段を再生機器側マイクロコンピュータからの入力切換信号や初期設定情報信号を入力する側に設定する再生機器側マイクロコンピュータのスイッチ制御手段と、テレビジョン受像機の入力切換を行うための入力切換信号を出力する再生機器側マイクロコンピュータの入力切換信号出力手段と、前記入力切換信号がテレビジョン受像機に入力されて再生機器側の電源オンを検知するテレビ側マイクロコンピュータの再生機器電源オン検知手段と、前記再生機器側の電源オンが検知されたときにテレビ側の電源がオフであれば電源をオンさせ、テレビジョン受像機の入力切換を再生機器側入力に切り換えるテレビ側マイクロコンピュータの入力切換手段と、前記テレビジョン受像機の入力切換を再生機器側入力に切り換えられた後、テレビジョン受像機が再生機器側入力に切り換えられたことを示す入力切換信号を出力するテレビ側マイクロコンピュータの入力切換信号出力手段と、前記入力切換信号が再生機器に入力されテレビジョン受像機の入力切換を検知する再生機器側マイクロコンピュータの入力切換検知手段と、前記テレビジョン受像機の入力切換が検知された後、前記スイッチ手段を前記第１チャンネルのオーディオ信号のライン側に設定する前記スイッチ制御手段とを有するので、テレビジョン受像機の電源がオフ状態またはオン状態および再生機器の電源がオフ状態である場合において再生機器の電源がオンされたときに、テレビジョン受像機の電源がオフであれば自動的にオンさせることができ、また、テレビジョン受像機の入力を再生機器側に切り換える処理、および前記切り換える処理に関連する処理を自動的に実行させることが可能になる。
【００２４】
請求項４の発明では、請求項２の発明において、テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を実行させる手段としては、テレビジョン受像機の入力が再生機器側に切り換えられたときに、入力切換信号を出力するテレビ側マイクロコンピュータの入力切換信号出力手段と、前記入力切換信号が再生機器に入力されてテレビジョン受像機の入力が再生機器側の入力に切り換ったことを検知する再生機器側マイクロコンピュータの入力切換検知手段と、前記テレビジョン受像機の入力が再生機器側の入力に切り換ったことを検知されたときに再生機器の電源をオンさせる再生機器側マイクロコンピュータの再生機器電源オン手段と、再生機器の電源がオンされた後、初期設定情報信号を出力する再生機器側マイクロコンピュータの初期設定情報信号出力手段と、前記初期設定情報信号を受け取ることにより再生機器の電源オンを検知するテレビ側再生機器電源オン検知手段と、前記再生機器の電源オンが検知された後、再生機器への入力切換信号を停止させるテレビ側マイクロコンピュータの入力切換信号停止手段とを有するので、テレビジョン受像機の電源がオン状態であり、再生機器の電源がオフ状態である場合において、テレビジョン受像機の入力が再生機器側に切り換えられたときに、再生機器の電源をオンさせる処理、およびテレビジョン受像機に対する初期設定に関連する処理を自動的に実行させることが可能になる。
【発明の効果】
【００２５】
以上のように本発明によれば、テレビジョン受像機の電源がオフ状態またはオン状態および再生機器の電源がオフ状態である場合において、再生機器の電源がオンされたとき、テレビジョン受像機の電源がオフであれば電源がオンされて（電源が既にオンされている場合は現状態のまま）、テレビジョン受像機の入力が再生機器側切り換えられる。したがって、再生機器に記録された映像音声情報を再生してテレビジョン受像機で視聴したい場合、再生機器の電源をオンするだけで、テレビジョン受像機の電源がオフであれば電源がオンされて（電源が既にオンされている場合は現状態のまま）、テレビジョン受像機の入力が再生機器側に自動的に切り換えられ、ユーザにとっては使い勝手が向上する。
【００２６】
また、テレビジョン受像機の電源がオン状態であり、再生機器の電源がオフ状態である場合において、テレビジョン受像機の入力が再生機器側に切り換えられたとき、再生機器の電源がオンされる。したがって、再生機器に記録された映像音声情報を再生してテレビジョン受像機で視聴したい場合、再生機器側に入力を切り換えるだけで、再生機器の電源が自動的にオンされ、ユーザにとっては使い勝手が向上する。また、初期設定情報信号の再生機器からテレビジョン受像機への入力により、テレビジョン受像機のＯＳＤ言語と再生機器のＯＳＤ言語を自動で合わせることができ、また、テレビ画面のアスペクト比情報のやり取りなど、色々の情報交換も可能になる。
【発明を実施するための最良の形態】
【００２７】
以下、添付図面を参照しつつ、本発明の実施の形態について説明する。図１は本発明の一実施形態に係る映像音声出力システムの構成を示すブロック図である。ここでは、再生機器としてのＤＶＤレコーダＡとテレビジョン受像機Ｂとがビデオケーブル（図示せず）およびオーディオケーブル１４，１５により接続されて構成される映像音声システムについて説明するが、ＤＶＤレコーダＡに代わり、ＤＶＤプレイヤあるいはハードディスクレコーダなどがテレビジョン受像機Ｂに接続されて構成された映像音声システムであっても同様な処理により同様な効果を得ることができる。
【００２８】
図１において、ＤＶＤレコーダＡは、このレコーダ全体を制御するマイクロコンピュータであるＤＶＤ側マイコン１と、リモコン２からの赤外線の操作信号を受光して電気信号の操作信号に変換してＤＶＤ側マイコン１に出力する受光部２と、このレコーダの各構成要素にメイン電源を供給する電源部４と、スイッチ６を駆動させるスイッチ駆動回路５と、出力ラインＬ２からの信号とＬｃｈオーディオラインＬ３からの信号とを切り換えてＬｃｈオーディオラインＬ４に出力するスイッチ６と、ＤＶＤ側マイコン１にラインＬ１を介して入力する信号の波形を整形する波形整形回路７とを備えている。
【００２９】
また、ＤＶＤレコーダＡは、第１チャンネルとしてのＬｃｈ（左チャンネル）の音声信号を増幅する増幅器８と、この増幅器８からの音声信号を通過させるコンデンサ９と、第２チャンネルとしてのＲｃｈ（右チャンネル）の音声信号を増幅する増幅器１０と、この増幅器１０からの音声信号を通過させるコンデンサ１１と、ＬｃｈオーディオラインＬ４に接続されたＬｃｈオーディオ出力端子１２と、ＲｃｈオーディオラインＬ５に接続されたＲｃｈオーディオ出力端子１３とを備えている。なお、ＤＶＤ側マイコン１は、電源部４によるメイン電源（以下単に電源と呼ぶ）がオフされている時には、図示しない待機電源により動作が可能である。
【００３０】
テレビジョン受像機Ｂは、この受像機全体を制御するマイクロコンピュータであるＴＶ側マイコン２０と、リモコン２２からの赤外線の操作信号を受光して電気信号の操作信号に変換してＴＶ側マイコン２０に出力する受光部２３と、この受像機の各構成要素にメイン電源を供給する電源部２１と、ＤＶＤレコーダＡのＬｃｈオーディオ出力端子１２とＬｃｈオーディオケーブル１４を介して接続されたＬｃｈオーディオ入力端子１６と、ＤＶＤレコーダＡのＲｃｈオーディオ出力端子１３とＲｃｈオーディオケーブル１５を介して接続されたＲｃｈオーディオ入力端子１７と、Ｌｃｈオーディオ出力端子１６からの信号の高周波成分を通過させるＨＰＦ（ハイパスフィルタ）１８と、このＨＰＦ１８を通過した信号を波形整形してＴＶ側マイコン２０に出力する波形整形回路１９とを備えている。なお、ＴＶ側マイコン２０は、電源部２１によるメイン電源（以下単に電源と呼ぶ）がオフされている時には、図示しない待機電源により動作が可能である。また、ＨＰＦ１８に代わり、目的とする信号の周波数成分を通過させるＢＰＦ（バンドパスフィルタ）であっても良い。
【００３１】
また、テレビジョン受像機Ｂは、Ｌｃｈオーディオ入力端子１６から入力したＬｃｈ音声信号を通過させるコンデンサ２４と、このコンデンサ２４からの音声信号に含まれるノイズ成分を除去すると共に音声信号を通過させるＬＰＦ（ローパスフィルタ）２５と、Ｒｃｈオーディオ入力端子１７から入力したＲｃｈ音声信号を通過させるコンデンサ３０と、このコンデンサ３０からの音声信号に含まれるノイズ成分を除去すると共に音声信号を通過させるＬＰＦ（ローパスフィルタ）３１と、ＬＰＦ２５を通過した音声信号を増幅する増幅器２６と、ＬＰＦ３１を通過した音声信号を増幅する増幅器３２と、Ｌｃｈ音声回路２８からの音声信号と増幅器２６からの音声信号との何れかに切り換えて図示しないプリアンプに出力する入力切換回路２７と、Ｒｃｈ音声回路２９からの音声信号と増幅器３２からの音声信号との何れかに切り換えて図示しないプリアンプに出力する入力切換回路３３とを備えている。
【００３２】
本実施形態では、ＤＶＤレコーダＡとテレビジョン受像機Ｂとの間の基本操作を行うのに、専用の制御ケーブルを使用せずに、オーディオケーブル１４，１５を兼用して相互の基本操作を行うことができるようにしている。なお、オーディオケーブル１４，１５の代わりに図示しないビデオケーブルを使用することも可能であるが、ビデオケーブルを入力切換に使用した時に、出力画像は一瞬ミュートが掛かり、また、映像信号に悪影響を与え易いので、オーディオケーブルを使用した方が好ましい。
【００３３】
図２は図１中のＤＶＤ側マイコン１の出力ラインＬ２から出力される入力切換信号および初期設定情報信号の一例を示す波形図である。この例の入力切換信号および初期設定情報信号は、８ビットで構成され、８ビットの全部がＨ（ハイレベル）になっていることを示している。１ビット目はＤＶＤレコーダＡの電源のオン／オフを示す入力切換信号などである。また、この他、入力切換信号としては、テレビジョン受像機ＢがＤＶＤレコーダＡ側に入力が切り換えられたことを示す入力切換信号などもある。２ビット目から４ビット目はＯＳＤ（オンスクリーンディスプレイ）言語を示す初期設定情報信号である。５ビット目と６ビット目はアスペクト比情報信号を示す初期設定情報信号である。なお、７ビット目と８ビット目は予備であり、これらのビットも用いたり、あるいはビット数を増やしたりすれば、その他色々な情報交換も可能になる。
【００３４】
図３は図２に示す入力切換信号および初期設定情報信号の各ビットのレベル状態を説明するための図である。図３において、１ビット目は、ＨであればＤＶＤレコーダＡの電源がオンになり、またはオンを示し、Ｌ（ローレベル）であればＤＶＤレコーダＡの電源がオフになり、またはオフを示す。２ビット目から４ビット目は、これらの組み合わせでＯＳＤ言語を示し、この例では、２ビット目と３ビット目と４ビット目が全部Ｌであれば、ＯＳＤ言語は日本語を示し、２ビット目がＨであり、３ビット目と４ビット目がＬであれば、ＯＳＤ言語は英語を示す。また、２ビット目がＬ、３ビット目がＨ、および４ビット目がＬであれば、ＯＳＤ言語は仏語を示す。また、２ビット目がＨ、３ビット目がＨ、および４ビット目がＬであれば、ＯＳＤ言語は独語を示す。
【００３５】
更に、５ビット目と６ビット目の組み合わせでテレビ画面のアスペクト比の情報を示す。５ビット目と６ビット目がＬであれば、アスペクト比が４：３のレターボックス画面を示し、５ビット目がＬで６ビット目がＨであれば、アスペクト比が４：３のパンアンドスキャン画面を示し、５ビット目がＨで６ビット目がＬであれば、アスペクト比が１６：９のワイド画面を示す。
【００３６】
図４は、本実施形態においてテレビジョン受像機の電源がオフ状態またはオン状態およびＤＶＤレコーダの電源がオフ状態である場合において、ＤＶＤレコーダの電源がオンされたときの処理を説明するためのフローチャートである。このフローチャートおよび図１〜図３を参照してテレビジョン受像機の電源がオフ状態またはオン状態およびＤＶＤレコーダの電源がオフ状態である場合においてＤＶＤレコーダの電源がオンされたときの処理について説明する。以下の説明に入る前に、テレビジョン受像機Ｂにおける初期設定で、ＴＶ自動入力切換がオンに設定されているものとする。
【００３７】
先ず、ユーザによりリモコン２の電源キーが操作され、ＤＶＤ側マイコン１によりＤＶＤレコーダＡの電源部４による電源がオンされたとき（または電源がオンされているとき）（ステップＳ１）、ＤＶＤ側マイコン１のスイッチ制御手段は、スイッチ駆動回路５を動作させ、スイッチ６をＤＶＤ側マイコン１からの入力切換信号や初期設定情報信号を入力する側である出力ラインＬ２側に設定する（ステップＳ２）。この後、ＤＶＤ側マイコン１の入力切換信号出力手段は、出力ラインＬ２よりテレビジョン受像機Ｂの入力切換を行うための入力切換信号を出力する（ステップＳ３）。
【００３８】
その入力切換信号は、出力ラインＬ２、スイッチ６、ＬｃｈオーディオラインＬ４、Ｌｃｈオーディオケーブル１４、Ｌｃｈオーディオ入力端子１６、ＨＰＦ１８、波形整形回路１９、および入力ラインＬ７を介してＴＶ側マイコン２０に入力される（ステップＳ４）。これにより、ＴＶ側マイコン２０の再生機器電源オン検知手段は、ＤＶＤ側電源（ＤＶＤレコーダＡの電源部４による電源）のオンを検知したとき（ステップＳ５）、ＴＶ側マイコン２０の入力切換手段は、ＴＶ側電源（電源部２１による電源）をオンさせ（既にオンされている場合は現状態のまま）、入力切換をＤＶＤレコーダＡ側入力に切り換え（ステップＳ６）、ＴＶ側マイコン２０の入力切換信号出力手段は、テレビジョン受像機ＢがＤＶＤレコーダＡ側入力に切り換えられたことを示す入力切換信号を出力ラインＬ６に出力する（ステップＳ７）。
【００３９】
その入力切換信号は、出力ラインＬ６、Ｒｃｈオーディオ入力端子１７、Ｒｃｈオーディオケーブル１５、Ｒｃｈオーディオ出力端子１３、波形整形回路７、およびラインＬ１を介してＤＶＤ側マイコン１に入力される。これにより、ＤＶＤ側マイコン１の入力切換検知手段は、入力された入力切換信号によりテレビジョン受像機Ｂの入力切換を検知すると（ステップＳ８）、ＤＶＤ側マイコン１のスイッチ制御手段は、スイッチ駆動回路５を動作させ、スイッチ６をＬｃｈオーディオラインＬ３側に設定する（ステップＳ９）。なお、ステップＳ３〜Ｓ８の処理では、テレビジョン受像機Ｂからの入力切換信号がＤＶＤレコーダＡに届くまで繰り返し、例えば、数秒間で入力切換信号がＤＶＤレコーダＡに届かなかった場合には、エラーとして処理される。
【００４０】
スイッチ６がＬｃｈオーディオラインＬ３側に設定された後、増幅器８からのＬｃｈオーディオ信号が、コンデンサ９、ＬｃｈオーディオラインＬ３、スイッチ６、ＬｃｈオーディオラインＬ４，Ｌｃｈオーディオ出力端子１２、Ｌｃｈオーディオケーブル１４、Ｌｃｈオーディオ入力端子１６、コンデンサ２４、ＬＰＦ２５、増幅器２６、および入力切換回路２７を介してＬｃｈプリアンプ（図示せず）に入力され、更にＬｃｈメインアンプ（図示せず）からＬｃｈスピーカ（図示せず）に供給され、左側音声が出力される。
【００４１】
また、増幅器１０からのＲｃｈオーディオ信号が、コンデンサ１１、ＲｃｈオーディオラインＬ５，Ｒｃｈオーディオ出力端子１３、Ｒｃｈオーディオケーブル１５、Ｒｃｈオーディオ入力端子１７、コンデンサ３０、ＬＰＦ３１、増幅器３２、および入力切換回路３３を介してＲｃｈプリアンプ（図示せず）に入力され、更にＲｃｈメインアンプ（図示せず）からＲｃｈスピーカ（図示せず）に供給され、右側音声が出力される。
【００４２】
以上の処理により、テレビジョン受像機Ｂの電源がオフ状態またはオン状態およびＤＶＤレコーダＡの電源がオフ状態である場合において、ＤＶＤレコーダＡの電源がオンされたとき、テレビジョン受像機Ｂの電源がオンされて、テレビジョン受像機Ｂの入力がＤＶＤレコーダＡ側切り換えられる。したがって、ＤＶＤレコーダＡに記録された映像音声情報を再生してテレビジョン受像機Ｂで視聴したい場合、ＤＶＤレコーダＡの電源をオンするだけで、テレビジョン受像機Ｂの電源がオンされて、テレビジョン受像機Ｂの入力がＤＶＤレコーダＡ側に自動的に切り換えられ、ユーザにとっては使い勝手が向上する。
【００４３】
図５は、本実施形態においてテレビジョン受像機の電源がオン状態であり、ＤＶＤレコーダの電源がオフ状態である場合において、テレビジョン受像機の入力がＤＶＤレコーダ側に切り換えられた場合の処理を説明するためのフローチャートである。このフローチャートおよび図１〜図３を参照してテレビジョン受像機の電源がオン状態であり、ＤＶＤレコーダの電源がオフ状態である場合において、テレビジョン受像機の入力がＤＶＤレコーダ側に切り換えられた場合の処理を説明する。以下で説明の処理に入る前に、テレビジョン受像機Ｂにおける初期設定でＤＶＤ自動パワーオンがオン設定されているものとする。
【００４４】
テレビジョン受像機Ｂの電源部２１による電源がオン状態であって、ＤＶＤレコーダＡの電源部４による電源がオフ状態において、ユーザのリモコン２２の操作により、テレビジョン受像機Ｂの入力がＤＶＤレコーダＡ側に切り換えられたときに（ステップＮ１）、即ち、リモコン２２の入力切換操作に応答してＴＶ側マイコン２０が、入力切換回路２７を制御して入力切換回路２７の入力を増幅器２６側に切り換えたときに、ＴＶ側マイコン２０の入力切換信号出力手段は、出力ラインＬ６より入力切換信号を出力する（ステップＮ２）。
【００４５】
その入力切換信号は、出力ラインＬ６、Ｒｃｈオーディオ入力端子１７、Ｒｃｈオーディオケーブル１５、Ｒｃｈオーディオ出力端子１３、波形整形回路７、および入力ラインＬ１を介してＤＶＤ側マイコン１に入力される。即ち、ＤＶＤ側マイコン１が入力切換信号を入力する（ステップＮ３）。そして、ＤＶＤ側マイコン１の入力切換検知手段は、テレビジョン受像機Ｂから前記入力切換信号を受け取ることにより、テレビジョン受像機Ｂの入力がＤＶＤレコーダＡ側の入力に切り換ったことを検知する（ステップＮ４）。
【００４６】
テレビジョン受像機Ｂの入力がＤＶＤレコーダＡ側の入力に切り換ったことを検知されたときに、ディスク側マイコン１の再生機器電源オン手段は、電源部４を駆動させ、電源部４による電源をオンさせる（ステップＮ５）。このようにして、ＤＶＤレコーダＡの電源がオンされた後、ＤＶＤ側マイコン１の初期設定情報信号出力手段は、初期設定情報信号を出力ラインＬ２に出力する（ステップＮ６）。ここで言う初期設定情報信号とは、ＯＳＤ言語やテレビ画面のアスペクト比などを示す情報の信号のことを言う。
【００４７】
出力ラインＬ２に出力された初期設定情報信号は、スイッチ６、ＬｃｈオーディオラインＬ４、Ｌｃｈオーディオ出力端子１２、Ｌｃｈオーディオケーブル１４、Ｌｃｈオーディオ入力端子１６、ＨＰＦ１８、波形整形回路１９、および入力ラインＬ７を介してＴＶ側マイコン２０に入力される。そして、ＴＶ側マイコン２０のテレビ側再生機器電源オン検知手段は、前記初期設定情報信号を受け取ることにより、ＤＶＤレコーダＡの電源部４の電源オンを検知すると（ステップＮ７）、ＴＶ側マイコン２０の入力切換信号停止手段は、出力ラインＬ６に出力されている入力切換信号の出力を停止させる（ステップＮ８）。
【００４８】
以上のような処理により、テレビジョン受像機Ｂの電源がオン状態であり、ＤＶＤレコーダＡの電源がオフ状態である場合において、テレビジョン受像機Ｂの入力がＤＶＤレコーダＡ側に切り換えられたとき、ＤＶＤレコーダＡの電源がオンされる。したがって、ＤＶＤレコーダＡに記録された映像音声情報を再生してテレビジョン受像機Ｂで視聴したい場合、ＤＶＤレコーダＡ側に入力を切り換えるだけで、ＤＶＤレコーダＡの電源が自動的にオンされ、ユーザにとっては使い勝手が向上する。また、初期設定情報信号のＤＶＤレコーダＡからテレビジョン受像機Ｂへの入力により、テレビジョン受像機ＢのＯＳＤ言語とＤＶＤレコーダＡのＯＳＤ言語を自動で合わせることができ、また、テレビ画面のアスペクト比情報のやり取りなど、色々の情報交換も可能になる。
【００４９】
また、本実施形態によれば、ＤＶＤレコーダＡとテレビジョン受像機Ｂとを接続する専用の制御ケーブルが不要となり、また、その専用の制御ケーブルを接続するためのケーブル端子も、再生機器とテレビジョン受像機とにそれぞれ不要となるので、コストアップになることはない。
【産業上の利用可能性】
【００５０】
本発明は、ＤＶＤレコーダやＤＶＤプレイヤあるいはハードディスクレコーダなどの再生機器と、テレビジョン受像機とが、ビデオケーブルおよびオーディオケーブルにより接続されて構成される映像音声出力システムに利用可能であり、再生機器の使用時にテレビジョン受像機の入力切換を自動で行えるようにすると共に、テレビジョン受像機の入力を再生機器側に切り換えたときに再生機器の電源を自動でオンさせるようにする。
【図面の簡単な説明】
【００５１】
【図１】本発明の一実施形態に係る映像音声出力システムの構成を示すブロック図である。
【図２】図１中のＤＶＤ側マイコンの出力ラインから出力される入力切換信号および初期設定情報信号の一例を示す波形図である。
【図３】図２に示す入力切換信号および初期設定情報信号の各ビットのレベル状態を説明するための図である。
【図４】前記実施形態においてテレビジョン受像機の電源がオフ状態またはオン状態およびＤＶＤレコーダの電源がオフ状態である場合においてＤＶＤレコーダの電源がオンされたときの処理を説明するためのフローチャートである。
【図５】前記実施形態においてテレビジョン受像機の電源がオン状態であり、ＤＶＤレコーダの電源がオフ状態である場合においてテレビジョン受像機の入力がＤＶＤレコーダ側に切り換えられた場合の処理を説明するためのフローチャートである。
【符号の説明】
【００５２】
Ａ    ＤＶＤレコーダ（再生機器）
Ｂ    テレビジョン受像機
１    ＤＶＤ側マイコン（再生機器側マイクロコンピュータ）
６    スイッチ（スイッチ手段）
７    波形整形回路（再生機器側波形整形手段）
１２    Ｌｃｈオーディオ出力端子（第１オーディオ出力端子）
１３    Ｒｃｈオーディオ出力端子（第２オーディオ出力端子）
１４    Ｌｃｈオーディオケーブル（第１のチャンネルのオーディオケーブル）
１５    Ｒｃｈオーディオケーブル（第２のチャンネルのオーディオケーブル）
１８    ＨＰＦ（フィルタ手段）
１９    波形整形回路（テレビ側波形整形手段）
２０    ＴＶ側マイコン（テレビ側マイクロコンピュータ）
【図１】
2008053814.tif 000003
【図２】
2008053814.tif 000004
【図３】
2008053814.tif 000005
【図４】
2008053814.tif 000006
【図５】
2008053814.tif 000007